(57)【特許請求の範囲】
【請求項１】
デジタルカメラであって、
（ａ）接眼レンズを介して電子的に撮影画像を表示可能な第１表示手段と、
（ｂ）前記第１表示手段より表示画面が大きく、前記デジタルカメラの外観面に設けられ電子的に撮影画像を表示可能な第２表示手段と、
（ｃ）前記第１表示手段と前記第２表示手段とを選択的に能動化する表示切替手段と、
（ｄ）前記デジタルカメラの機能に係る複数の項目が表示されるメニュー画面において、操作入力によって各項目に対する設定を行う設定手段と、
（ｅ）前記設定手段が能動化された場合、前記第２表示手段を強制的に能動化し、前記メニュー画面を表示する手段と、
を備えることを特徴とするデジタルカメラ。
【請求項２】
請求項１に記載のデジタルカメラにおいて、
前記第２表示手段を能動化する場合には、前記第１表示手段を不能化することを特徴とするデジタルカメラ。
【請求項３】
デジタルカメラであって、
（ａ）接眼を検知する接眼検知手段を有し、接眼レンズを介して電子的に撮影画像を表示可能な第１表示手段と、
（ｂ）前記第１表示手段より表示画面が大きく、前記デジタルカメラの外観面に設けられて電子的に撮影画像を表示可能な第２表示手段と、
（ｃ）前記接眼が検知される場合には前記第１表示手段を能動化するとともに前記第２表示手段を不能化し、前記接眼が検知されない場合には前記第１表示手段を不能化するとともに前記第２表示手段を能動化する表示切替制御手段と、
（ｄ）前記デジタルカメラの機能に係る複数の項目が表示されるメニュー画面において、操作入力によって各項目に対する設定を行う設定手段と、
（ｅ）前記設定手段が能動化された場合に、前記第２表示手段を強制的に能動化し、前記メニュー画面を表示する手段と、
を備えることを特徴とするデジタルカメラ。
【請求項４】
デジタルカメラであって、
（ａ）接眼を検知する接眼検知手段を有し、接眼レンズを介して電子的に撮影画像を表示可能な第１表示手段と、
（ｂ）前記第１表示手段より表示画面が大きく、前記デジタルカメラの外観面に設けられて電子的に撮影画像を表示可能な第２表示手段と、
（ｃ）前記接眼が検知される場合には前記第１表示手段を能動化するとともに前記第２表示手段を不能化し、前記接眼が検知されない場合には前記第１表示手段と前記第２表示手段との双方を不能化する表示切替制御手段と、
（ｄ）前記デジタルカメラの機能に係る複数の項目が表示されるメニュー画面において、操作入力によって各項目に対する設定を行う設定手段と、
（ｅ）前記設定手段が能動化された場合に、前記第２表示手段を強制的に能動化し、前記メニュー画面を表示する手段と、
を備えることを特徴とするデジタルカメラ。
【請求項５】
外部の表示装置に撮影画像を表示可能なデジタルカメラであって、
（ａ）接眼レンズを介して電子的に撮影画像を表示可能な表示手段と、
（ｂ）前記外部の表示装置に、データを伝送する伝送手段と、
（ｃ）前記表示手段と前記伝送手段とを選択的に能動化する表示切替手段と、
（ｄ）前記デジタルカメラの機能に係る複数の項目が表示されるメニュー画面において、操作入力によって各項目に対する設定を行う設定手段と、
（ｅ）前記設定手段が能動化された場合に、前記伝送手段を強制的に能動化し、前記メニュー画面を前記外部の表示装置に表示する手段と、
を備えることを特徴とするデジタルカメラ。
【請求項６】
請求項５に記載のデジタルカメラにおいて、
前記伝送手段を能動化する場合には、前記表示手段を不能化することを特徴とするデジタルカメラ。
【発明の詳細な説明】
【０００１】
【発明の属する技術分野】
本発明は、デジタルカメラに関し、特に複数のモニタ、例えば電子ビューファインダおよび液晶ディスプレイなどに画像表示を行うデジタルカメラに関する。
【０００２】
【従来の技術】
デジタルカメラにおいては、電子ビューファインダー（ＥＶＦ）と、デジタルカメラの背面に設けられている液晶ディスプレイ（ＬＣＤ）との両方を備えるものが知られている。このようなデジタルカメラでは、通常ＥＶＦでフレーミングし、ローアングルやハイアングルで撮影する場合に背面ＬＣＤに表示される被写体画像を見ながら、フレーミングが行われる。
【０００３】
ここでは、両方を同時に表示する必然性がないため、ＥＶＦあるいはＬＣＤのどちらか一方のみ選択的にオン、すなわち表示状態としている。
【０００４】
また、このようなデジタルカメラでは、各種機能の設定を行うためのメニュー画面において、撮影者による操作入力により、デジタルカメラの機能設定が行われる。
【０００５】
【発明が解決しようとする課題】
しかしながら、上記のデジタルカメラにおいて、メニュー設定をＥＶＦのみがオンの状態で行う場合、メニュー画面がＥＶＦに表示されるため、表示画面の小さいＥＶＦを覗きながら各種設定を行わなければならず、操作性が悪い。
【０００６】
この場合、メニュー画面の視認が容易となるよう、手動操作によりＥＶＦからＬＣＤにメニュー画面の表示を切替え、機能設定を行っても良いが、ＬＣＤへの切替え操作をさらに行わなければならず、操作性が悪い。
【０００７】
本発明は、上記課題に鑑みてなされたものであり、操作性が向上できるデジタルカメラを提供することを目的とする。
【０００８】
【用語の定義】
上記の目的を達成するため、この発明では以下のような手段を採用するが、それらにおいて、「外観面」とは、側面、背面等、外から視認可能な場所として定義される。
【０００９】
【課題を解決するための手段】
上記の課題を解決するため、請求項１の発明は、デジタルカメラであって、(a)接眼レンズを介して電子的に撮影画像を表示可能な第１表示手段と、(b)前記第１表示手段より表示画面が大きく、前記デジタルカメラの外観面に設けられて電子的に撮影画像を表示可能な第２表示手段と、(c)前記第１表示手段と前記第２表示手段とを選択的に能動化する表示切替手段と、(d)前記デジタルカメラの機能に係る複数の項目が表示されるメニュー画面において、操作入力によって各項目に対する設定を行う設定手段と、(e)前記設定手段が能動化された場合、前記第２表示手段を強制的に能動化し、前記メニュー画面を表示する手段とを備える。
【００１０】
また、請求項２の発明は、請求項１の発明に係るデジタルカメラにおいて、前記第２表示手段を能動化する場合には、前記第１表示手段を不能化する。
【００１１】
また、請求項３の発明は、デジタルカメラであって、(a)接眼を検知する接眼検知手段を有し、接眼レンズを介して電子的に撮影画像を表示可能な第１表示手段と、(b)前記第１表示手段より表示画面が大きく、前記デジタルカメラの外観面に設けられて電子的に撮影画像を表示可能な第２表示手段と、(c)前記接眼が検知される場合には前記第１表示手段を能動化するとともに前記第２表示手段を不能化し、前記接眼が検知されない場合には前記第１表示手段を不能化するとともに前記第２表示手段を能動化する表示切替制御手段と、(d)前記デジタルカメラの機能に係る複数の項目が表示されるメニュー画面において、操作入力によって各項目に対する設定を行う設定手段と、(e)前記設定手段が能動化された場合に、前記第２表示手段を強制的に能動化し、前記メニュー画面を表示する手段とを備える。
【００１２】
また、請求項４の発明は、デジタルカメラであって、(a)接眼を検知する接眼検知手段を有し、接眼レンズを介して電子的に撮影画像を表示可能な第１表示手段と、(b)前記第１表示手段より表示画面が大きく、前記デジタルカメラの外観面に設けられて電子的に撮影画像を表示可能な第２表示手段と、(c)前記接眼が検知される場合には前記第１表示手段を能動化するとともに前記第２表示手段を不能化し、前記接眼が検知されない場合には前記第１表示手段と前記第２表示手段との双方を不能化する表示切替制御手段と、(d)前記デジタルカメラの機能に係る複数の項目が表示されるメニュー画面において、操作入力によって各項目に対する設定を行う設定手段と、(e)前記設定手段が能動化された場合に、前記第２表示手段を強制的に能動化し、前記メニュー画面を表示する手段とを備える。
【００１３】
また、請求項５の発明は、外部の表示装置に撮影画像を表示可能なデジタルカメラであって、(a)接眼レンズを介して電子的に撮影画像を表示可能な表示手段と、(b)前記外部の表示装置に、データを伝送する伝送手段と、(c)前記表示手段と前記伝送手段とを選択的に能動化する表示切替手段と、(d)前記デジタルカメラの機能に係る複数の項目が表示されるメニュー画面において、操作入力によって各項目に対する設定を行う設定手段と、(e)前記設定手段が能動化された場合に、前記伝送手段を強制的に能動化し、前記メニュー画面を前記外部の表示装置に表示する手段とを備える。
【００１４】
また、請求項６の発明は、請求項５の発明に係るデジタルカメラにおいて、前記伝送手段を能動化する場合には、前記表示手段を不能化する。
【００１６】
【発明の実施の形態】
＜第１実施形態＞
＜デジタルカメラの要部構成＞
図１〜図３は、本発明の第１実施形態に係るデジタルカメラ１の要部構成を示す図であり、図１は平面図、図２は図１のII−II位置から見た断面図、図３は背面図に相当する。これらの図は必ずしも三角図法に則っているものではなく、デジタルカメラ１Ａの要部構成を概念的に例示することを主眼としている。
【００１７】
これらの図に示すように、デジタルカメラ１Ａは、略直方体状のカメラ本体部２と、撮像部３とに大別される構造である。
【００１８】
撮像部３は、撮影レンズであるマクロ機能付きレンズ群３０の後方位置の適所にＣＣＤカラーエリアセンサ３０３を有する撮像回路３０２が設けられている。また、このレンズ群３０は、ズームレンズ３００と合焦レンズ３０１とを備えている。
【００１９】
一方、カメラ本体部２の内部には、ズームレンズ３００のズーム比の変更と収容位置、撮影位置間のレンズ移動を行うためのズームモータＭ１、および合焦レンズ３０１を駆動して合焦を行うためのモータＭ２とが設けられている。
【００２０】
カメラ本体部２の前面には、グリップ部Ｇが設けられ、カメラ本体部２上端部の適所にポップアップ形式の内蔵フラッシュ５が設けられている。なお、フラッシュ５は手動でポップアップしたり、収納したりできるものとなっている。また、カメラ本体部２の上面にはシャッタボタン９が設けられている。
【００２１】
一方、図３に示すように、カメラ本体部２の背面には、撮影画像のライブビュー表示及び記録画像を電子的に表示可能な液晶ディスプレイ（ＬＣＤ）１０と、電子ビューファインダ（ＥＶＦ）２０とが設けられている。ＥＶＦ２０は、接眼レンズを介して電子的に撮影画像の表示が可能となっているとともに、ＬＣＤ１０は、ＥＶＦ２０より大きな表示画面に電子的に撮影画像の表示が可能となっている。また、ＥＶＦ２０の周囲にはアイカップ４６が設けられ、アイカップ４６にはＬＥＤとフォトカプラとからなる接眼センサ４０６が設けられている。この接眼センサ４０６は、アイカップ４６に撮影者の目ＥＹが接眼しているか否かを検出する。
【００２２】
カメラ本体部２の背面には、「撮影モード」と「再生モード」とを切換設定する撮影／再生モード設定スイッチ１４が設けられている。撮影モードは、写真撮影を行なうモードであり、再生モードは、メモリカード８に記録された撮影画像をＬＣＤ１０に再生表示するモードである。
【００２３】
デジタルカメラ１Ａの背面右方には、４連スイッチ３５が設けられており、ボタンＬ、Ｒを押すことにより、ズームモータＭ１が駆動しズーミングを行い、その他、ボタンＵ、Ｄ、Ｌ、Ｒで各種操作を行う。
【００２４】
また、カメラ本体部２の背面には、ディスプレイ切替スイッチ３１、確定ボタン３２、取消ボタン３３、およびメニューボタン３４が設けられている。このディスプレイ切替スイッチ３１は、表示切替手段として機能する３接点のスイッチとなっており、「ＥＶＦ」と「自動」と「ＬＣＤ」との選択が可能となっている。ディスプレイ切替スイッチ３１では「ＥＶＦ」位置にセットされると、ＬＣＤ１０に表示されずＥＶＦ２０のみに画像が表示され、「ＬＣＤ」位置にセットされると、ＥＶＦ２０に表示されずＬＣＤ１０のみに画像が表示される。また、「自動」位置にセットされると、接眼センサ４０６による接眼検知結果に従ってＬＣＤ１０とＥＶＦ２０とが選択的に能動化されることとなる。
【００２５】
メニューボタン３４は、撮影者による押下により、メニュー画面（図９参照）が表示され、４連スイッチ３５などで撮影者の操作入力により、デジタルカメラ１Ａの機能に関するメニューの設定が行える。
【００２６】
また、カメラ本体部２の側面には、外部モニタ端子２２２が設けられている。この外部モニタ端子２２２は、デジタルカメラ１Ａから、外部モニタ２２３に画像データなどを伝送するための端子である。
【００２７】
図１に示すように、デジタルカメラ１Ａはメモリカード８が装着されるようになっている。また、デジタルカメラ１Ａは、４本の単三形乾電池Ｅ１〜Ｅ４を直列接続してなる電源電池Ｅを駆動源としている。
【００２８】
＜デジタルカメラ１Ａの機能ブロック＞
図４は、デジタルカメラ１Ａの機能ブロック図である。同図において、ＣＣＤ３０３は、レンズ群３０により結像された被写体の光像を、Ｒ（赤），Ｇ（緑），Ｂ（青）の色成分の画像信号（各画素で受光された画素信号の信号列からなる信号）に光電変換して出力する。タイミングジェネレータ３１４は、ＣＣＤ３０３の駆動を制御するための各種のタイミングパルスを生成するものである。
【００２９】
撮像部３における露出制御は、絞り制御ドライバ３０６によるレンズ群３０の絞りと、ＣＣＤ３０３の露光量、すなわち、シャッタスピードに相当するＣＣＤ３０３の電荷蓄積時間を調節して行なわれる。被写体輝度が低輝度時に適切なシャッタスピードが設定できない場合は、ＣＣＤ３０３から出力される画像信号のレベル調整を行なうことにより露光不足による不適正露出が補正される。すなわち、低輝度時は、シャッタスピードとゲイン調整とを組み合わせて露出制御が行なわれる。画像信号のレベル調整は、信号処理回路３１３内のＡＧＣ回路のゲイン調整において行なわれる。
【００３０】
タイミングジェネレータ３１４は、タイミング制御回路２０２から送信される基準クロック基づきＣＣＤ３０３の駆動制御信号を生成するものである。タイミングジェネレータ３１４は、例えば積分開始／終了（露出開始／終了）のタイミング信号、各画素の受光信号の読出制御信号（水平同期信号，垂直同期信号，転送信号等）等のクロック信号を生成し、ＣＣＤ３０３に出力する。
【００３１】
信号処理回路３１３は、ＣＣＤ３０３から出力される画像信号（アナログ信号）に所定のアナログ信号処理を施すものである。信号処理回路３１３は、ＣＤＳ（相関二重サンプリング）回路とＡＧＣ（オートゲインコントロール）回路とを有し、ＣＤＳ回路により画像信号のノイズの低減を行ない、ＡＧＣ回路のゲインを調整することにより画像信号のレベル調整を行なう。
【００３２】
調光回路３０４は、フラッシュ撮影における内蔵フラッシュ５の発光量を全体制御部２１１により設定された所定の発光量に制御するものである。フラッシュ撮影においては、露出開始と同時に被写体からのフラッシュ光の反射光が調光センサ３０５により受光され、この受光量が所定の発光量に達すると、調光回路３０４から発光停止信号が出力され、この発光停止信号に応答して内蔵フラッシュ５の発光を強制的に停止し、これにより内蔵フラッシュ５の発光量が所定の発光量に制御される。
【００３３】
Ａ／Ｄ変換器２０５は、画像信号の各画素信号を１２ビットのデジタル信号に変換するものである。Ａ／Ｄ変換器２０５は、タイミング発生回路から入力されるＡ／Ｄ変換用のクロックに基づいて各画素信号（アナログ信号）を１２ビットのデジタル信号に変換する。
【００３４】
タイミングジェネレータ３１４、Ａ／Ｄ変換器２０５に対するクロックを生成するタイミング制御回路２０２が設けられている。タイミング制御回路２０２は、全体制御部２１１内の基準クロックにより制御される。
【００３５】
黒レベル補正回路２０６は、Ａ／Ｄ変換された画素信号の黒レベルを基準の黒レベルに補正するものである。また、ＷＢ（ホワイトバランス）回路２０７は、Ｒ，Ｇ，Ｂの各色成分の画素データのレベル変換を行なうものである。ＷＢ回路２０７は、全体制御部２１１から入力されるレベル変換テーブルを用いてＲ，Ｇ，Ｂの各色成分の画素データのレベルを変換する。なお、レベル変換テーブルの各色成分のパラメータ（特性の傾き）は全体制御部２１１により、オートまたはマニュアルで、撮影画像毎に設定される。
【００３６】
γ補正回路２０８は、画素データの階調を補正するものである。画像メモリ２０９は、γ補正回路２０８から出力される画素データを記憶するメモリである。画像メモリ２０９は、１フレーム分の記憶容量を有している。すなわち、画像メモリ２０９は、ＣＣＤ３０３画素数に対応する１６００×１２００画素分の画素データの記憶容量を有し、各画素データが対応する画素位置に記憶されるようになっている。
【００３７】
ＬＣＤＶＲＡＭ２１０は、ＬＣＤ１０に表示される画像データのバッファメモリである。ＬＣＤＶＲＡＭ２１０は、ＬＣＤ１０の画素数４００×３００に対応した画像データの記憶容量を有している。
【００３８】
ＥＶＦＶＲＡＭ２２０は、ＥＶＦ２０に表示される画像データのバッファメモリである。ＥＶＦＶＲＡＭ２２０は、ＥＶＦ２０の画素数６４０×４８０に対応した画像データの記憶容量を有している。
【００３９】
また、撮影待機状態においては、撮像部３により１／３０（秒）毎に撮像された画像の各画素データがＡ／Ｄ変換器２０５〜γ補正回路２０８により所定の信号処理を施された後、画像メモリ２０９に一時記憶されるとともに、全体制御部２１１を介してＬＣＤＶＲＡＭ２１０、ＥＶＦＶＲＡＭ２２０に転送され、ＬＣＤ１０やＥＶＦ２０に表示される（ライブビュー表示）。
【００４０】
これによって、ユーザは被写体像を視認することができる。また、再生モードにおいては、メモリカード８から読み出された画像が全体制御部２１１で所定の信号処理が施された後、ＶＲＡＭ２１０に転送され、ＬＣＤ１０に再生表示される。ＥＶＦ２０でも同様の表示が行われる。
【００４１】
カードＩ／Ｆ２１２は、メモリカード８への画像データの書込み及び画像データの読出しを行なうためのインターフィースである。また、通信用Ｉ／Ｆ２２４は、パーソナルコンピュータ２２５を通信可能に外部接続するための、例えばＵＳＢ規格に準拠したインターフェースである。このカードＩ／Ｆ２１２、通信用Ｉ／Ｆ２２４を介して、メモリカード８やＣＤ−ＲＯＭ２２６などの記録媒体に記録している制御プログラムを、全体制御部２１１のＲＯＭ内に取り込むことができる。
【００４２】
ＲＴＣ２１９は、撮影日時を管理するするための時計回路である。図示しない別の電源で駆動される。
【００４３】
操作部２５０は、上述したシャッターボタン９、ディスプレイ切替スイッチ３１、確定ボタン３２などの各種スイッチ、ボタンなどで構成されている。
【００４４】
シャッタボタン９は、銀塩カメラで採用されているような半押し状態（Ｓ１）と押し込んだ状態（Ｓ２）とが検出可能な２段階スイッチになっている。待機状態でシャッターボタン９をＳ１状態にすると、ＡＦのためのレンズ駆動を開始し、全体制御部２１１による画像メモリ２０９内における画像のコントラストを評価しながら、コントラストがもっとも高くなるようにモータＭ１、Ｍ２により、レンズを駆動し停止させる。Ｓ１状態時の画像メモリ内の画像データのレベルを判定することで、シャッタースピード（ＳＳ）と絞り値を決定する。さらにホワイトバランスの補正値を決定する。
【００４５】
ＮＴＳＣ変換器２２１は、ＶＲＡＭ２２０に格納される画像信号を、ＮＴＳＣ方式に信号変換を行い、ＥＶＦ２０と、外部モニタ端子２２２を介して外部モニタ２２３とに転送する。
【００４６】
全体制御部２１１は、マイクロコンピュータからなり、上述したカメラの各部材の駆動を有機的に制御してデジタルカメラ１Ａの撮影動作を統括制御するものである。
【００４７】
図５は、全体制御部２１１内のＣＰＵやメモリの全体によって実現される内部機能を示すブロック図である。この全体制御部２１１は、露出制御値（シャッタスピード（ＳＳ）と絞り値）を設定するための輝度判定部２１１ａと露光量設定部２１１ｂとを備えている。
【００４８】
さらに、全体制御部２１１は、上記撮影画像の記録処理を行なうために、フィルタリング処理を行なうフィルタ部２１１ｆと、サムネイル画像及び圧縮画像を生成する記録画像生成部２１１ｇとを備えている。また、全体制御部２１１は、メモリカード８に記録された画像をＬＣＤ１０やＥＶＦ２０に再生するために、再生画像を生成する再生画像生成部２１１ｈと、ＬＣＤ１０とＥＶＦ２０との表示状態を制御する表示制御部２１１ｉとを備えている。
【００４９】
上記のフィルタ部２１１ｆは、デジタルフィルタにより記録すべき画像の高周波成分を補正して輪郭に関する画質の補正を行なうものである。
【００５０】
記録画像生成部２１１ｇは、画像メモリ２０９から画素データを読み出してメモリカード８に記録すべきサムネイル画像と圧縮画像とを生成する。記録画像生成部２１１ｇは、画像メモリ２０９から横方向と縦方向の両方向でそれぞれ８画素毎に画素データを読み出し、順次、メモリカード８に転送することで、サムネイル画像を生成しつつメモリカード８に記録する。
【００５１】
また、記録画像生成部２１１ｈは、画像メモリ２０９から全画素データを読み出し、これらの画素データに２次元ＤＣＴ変換、ハフマン符号化等のＪＰＥＧ方式による所定の圧縮処理を施して圧縮画像の画像データを生成し、この圧縮画像データをメモリカード８の本画像エリアに記録する。
【００５２】
表示制御部２１１ｊは、ディスプレイ切替スイッチ３１における設定および接眼センサ４０６の検出結果に基づき、ＬＣＤ１０の表示のオン・オフと、ＥＶＦ２０の表示のオン・オフとを制御する。
【００５３】
全体制御部２１１は、撮影モードにおいて、シャッタボタン９により撮影が指示されると、撮影指示後に画像メモリ２０９に取り込まれた画像のサムネイル画像と設定された圧縮率によりＪＰＥＧ方式により圧縮された圧縮画像とを生成し、撮影画像に関するタグ情報（コマ番号、露出値、シャッタスピード、圧縮率、撮影日、撮影時のフラッシュのオンオフのデータ、シーン情報、画像の判定結果等）等の情報とともに両画像をメモリカード８に記憶する。
【００５４】
デジタルカメラ１Ａによって記録された画像の各コマはタグの部分とＪＰＥＧ形式で圧縮された高解像度の画像データ(（１６００×１２００）画素)とサムネイル表示用の画像データ（８０×６０）画素)が記録されている。
【００５５】
撮影／再生モード設定スイッチ１４を再生モードに設定したときには、メモリカード８内のコマ番号の最も大きな画像データが読み出され、再生画像生成部２１１ｈにてデータ伸張され、これがＶＲＡＭ２１０、２２０に転送されることにより、ＬＣＤ１０やＥＶＦ２０には、コマ番号の最も大きな画像すなわち直近に撮影された画像が表示される。ボタンＵを操作することにより、コマ番号の大きな画像が表示され、ボタンＤを押すことによりコマ番号の小さな画像が表示される。
【００５６】
メモリカード８は、図６に示すように、デジタルカメラ１Ａによって記憶された画像を、圧縮率１／２０で２３０コマの画像分記憶可能であり、各コマは、タグ情報の部分と、ＪＰＥＧ形式で圧縮された高解像度の画像信号（６４０×４８０画素）とサムネイル表示用の画像信号（８０×６０画素）が記録されている。各コマ単位で、例えばＥＸＩＦ形式の画像ファイルとして扱うことが可能である。
【００５７】
＜デジタルカメラ１Ａの動作＞
以下では、デジタルカメラ１Ａの動作のうち、ＬＣＤ１０およびＥＶＦ２０における表示動作を説明する。この表示動作は、全体制御部２１１Ａにより自動的に実行される。なお、この表示動作以外については、デジタルカメラの一般的な動作が行われる。
【００５８】
図７は、ＬＣＤ１０およびＥＶＦ２０における表示状態の遷移の様子を示す図である。
【００５９】
状態Ｓ１では、ＥＶＦ２０の表示がオンであり、ＬＣＤ１０の表示がオフとなっている。この状態Ｓ１は、ディスプレイ切替スイッチ３１で、「ＥＶＦ」が選択され、ＥＶＦ２０のみに画像が表示される状態である。ここで、メニューボタン３４が押下されると、状態Ｓ２に移行し、ディスプレイ切替スイッチ３１が「ＬＣＤ」にセットされると、状態Ｓ３に移行する。また、ディスプレイ切替スイッチ３１が「自動」にセットされると、状態Ｓ４に移行する。
【００６０】
状態Ｓ２では、ＥＶＦ２０の表示がオフであり、ＬＣＤ１０の表示がオンとなっている。この状態Ｓ２には、図８(ａ)に示すようなＥＶＦ２０にのみ画像２０ｓが表示される状態Ｓ１からメニューボタン３４が押下されることにより移行し、図８(ａ)に示すようにＥＶＦ２０が不能化されるとともに、ＬＣＤ１０が強制的に能動化されてメニューＭＮが表示される。このメニューＭＮの画面は、例えば図９に示すようなデジタルカメラ１Ａに関する「フラッシュ」「撮影」などの多数の項目が表示され、４連スイッチ３５などを操作することによって各項目に対する設定が行える。これにより、撮影者がメニュー画面を視認しやすくなるため、適切に設定入力が行えることとなる。
【００６１】
ここで、メニュー設定が完了した場合には、再び状態Ｓ２に移行する。
【００６２】
状態Ｓ３では、ＥＶＦ２０の表示がオフであり、ＬＣＤ１０の表示がオンとなっている。この状態Ｓ１は、ディスプレイ切替スイッチ３１で、「ＬＣＤ」が選択され、ＬＣＤ１０のみに画像が表示される状態である。ここでは、メニューボタン３４が押下されても、ＬＣＤ１０にメニュー画面が表示されることとなるが、ＬＣＤ１０およびＥＶＦ２０の表示状態は変わらない。ここで、ディスプレイ切替スイッチ３１を「ＥＶＦ」にセットすると、状態Ｓ１に移行し、ディスプレイ切替スイッチ３１を「自動」にセットすると、ステップＳ４に移行する。
【００６３】
ステップＳ４では、ＥＶＦ２０の自動モードが、自動オンに設定されているか、自動切替に設定されているかを判定する。この自動オンおよび自動切替の設定については、図１０に示すＬＣＤ１０に表示される設定画面で、４連スイッチ３５が操作されることにより、あらかじめ設定が行われている。
【００６４】
ここで、自動切替に設定されている場合には、状態Ｓ５に移行し、自動オンに設定されている場合には、状態Ｓ７に移行する。
【００６５】
状態Ｓ５では、ＥＶＦ２０の表示がオフであり、ＬＣＤ１０の表示がオンである。この状態Ｓ５では、ＥＶＦ２０の接眼センサ４０６で接眼が検知されないため、ＬＣＤ１０のみ表示が行われている。ここでは、メニューボタン３４が押下されても、ＬＣＤ１０にメニュー画面が表示されることとなるが、ＬＣＤ１０およびＥＶＦ２０の表示状態は変わらない。ここで、撮影者の接眼を検出すると、状態Ｓ６に移行する。また、ディスプレイ切替スイッチ３１が「ＥＶＦ」にセットされると、状態Ｓ１に移行し、ディスプレイ切替スイッチ３１が「ＬＣＤ」にセットされると、状態Ｓ３に移行することとなる。
【００６６】
状態Ｓ６では、ＥＶＦ２０の表示がオンであり、ＬＣＤ１０の表示がオフとなっている。この状態Ｓ６では、ＥＶＦ２０の接眼センサ４０６で接眼が検知されるため、ＥＶＦ２０のみ表示が行われる。すなわち、ＬＣＤ１０にのみ画像が表示される状態Ｓ５から接眼センサ４０６により接眼が検知されると、ＥＶＦ２０が能動化されるとともに、ＬＣＤ１０が不能化されることとなる。ここで、接眼が検出されなくなると状態Ｓ５に移行するとともに、メニューボタン３４が押下されると状態Ｓ５に移行する。また、ディスプレイ切替スイッチ３１が「ＥＶＦ」にセットされると、状態Ｓ１に移行し、ディスプレイ切替スイッチ３１が「ＬＣＤ」にセットされると、状態Ｓ３に移行することとなる。
【００６７】
状態Ｓ７では、ＥＶＦ２０の表示がオフであり、ＬＣＤ１０の表示がオフとなっている。この状態Ｓ７では、ＥＶＦ２０の接眼センサ４０６で接眼が検知されないため、ＬＣＤ１０およびＥＶＦ２０の表示が行われない。ここで、接眼を検出すると、状態Ｓ８に移行し、メニューボタン３４が押下されると状態Ｓ９に移行する。また、ディスプレイ切替スイッチ３１が「ＥＶＦ」にセットされると、状態Ｓ１に移行し、ディスプレイ切替スイッチ３１が「ＬＣＤ」にセットされると、状態Ｓ３に移行することとなる。
【００６８】
状態Ｓ８では、ＥＶＦ２０の表示がオンであり、ＬＣＤ１０の表示がオフとなっている。この状態Ｓ８では、ＥＶＦ２０の接眼センサ４０６で接眼が検知されるため、ＥＶＦ２０の表示が行われる。すなわち、ＬＣＤ１０およびＥＶＦ２０に画像が表示されない状態Ｓ７から接眼センサ４０６により接眼が検知されると、ＥＶＦ２０のみが能動化されることとなる。ここで、接眼が検出されなくなると状態Ｓ７に移行するとともに、メニューボタン３４が押下されると状態Ｓ９に移行する。また、ディスプレイ切替スイッチ３１が「ＥＶＦ」にセットされると、状態Ｓ１に移行し、ディスプレイ切替スイッチ３１が「ＬＣＤ」にセットされると、状態Ｓ３に移行することとなる。
【００６９】
状態Ｓ９では、ＥＶＦ２０の表示がオフであり、ＬＣＤ１０の表示がオンとなっている。ここでは、状態Ｓ７または状態Ｓ８からメニューボタン３４が押下され、表示画面の大きいＬＣＤ１０に、メニュー画面ＭＮが表示される。これにより、撮影者がメニュー画面を視認しやすくなるため、適切に設定入力が行えることとなる。
【００７０】
ここで、メニュー設定が完了した場合には、元の表示状態Ｓ７、Ｓ８に戻る。
【００７１】
また、以上のデジタルカメラ１Ａの動作により、メニュー設定の際には、ＥＶＦより表示画面の大きいＬＣＤにメニュー画面を強制的に表示し、視認が容易となるため、操作性が向上する。
【００７２】
＜第２実施形態＞
＜表示システムの要部構成＞
図１１は、本発明の第２実施形態に係る表示システム１００の要部構成を示す図である。
【００７３】
表示システム１００は、デジタルカメラ１Ｂと、外部モニタ２２３とを備えている。この外部モニタ２２３は、ケーブルＣｂを介しデジタルカメラ１Ｂから送信される画像データなどを、ＥＶＦ２０より表示画面が大きい画面２３３ｍで表示することができる。
【００７４】
デジタルカメラ１Ｂは、第１実施形態のデジタルカメラ１Ａと類似の構成を有しているが、全体制御部が異なっている。
【００７５】
図１２は、デジタルカメラ１Ｂの部分ブロック図である。
【００７６】
第２実施形態に係る全体制御部２１１Ｂの表示制御部２１１ｋは、ディスプレイ切替スイッチ３１における設定および接眼センサ４０６の検出結果に基づき、ＥＶＦ２０の表示のオン・オフ、および外部モニタ２３３の画面２３３ｍの表示のオン・オフを制御する。
【００７７】
また、表示制御部２１１ｋは、外部モニタ端子２２２にケーブルＣｂおよび外部モニタ２２３が接続しているか否かを、外部モニタ端子２２２以遠が電気的に開放状態となっているか否かを監視することにより検出可能となっている。そして、ケーブルＣｂが外部モニタ端子２２２に接続されると、ＬＣＤ１０に代えて外部モニタ２２３で優先的に画像を表示する制御が行われる。
【００７８】
＜表示システム１００の動作＞
表示システム１００の動作は、第１実施形態のデジタルカメラ１Ａの動作に類似している。すなわち、図７に示す状態遷移図において、ＬＣＤ１０を、外部モニタ２２３の画面２２３ｍに置換することにより、その動作を表すことができる。そして、第１実施形態のデジタルカメラ１Ａと同様に、ＥＶＦ２０にのみが表示される状態で撮影者によりメニューボタン３４が押下されると、ＥＶＦ２０を不能化するとともに、外部モニタ端子２２２が強制的にオンされて、図１１に示すように外部モニタ２２３の画面２２３ｍにメニュー画面が表示される。これにより、撮影者がメニュー画面を視認しやすくなる。また、この外部モニタ２２３で表示が行われる場合には、ＥＶＦ２０の表示がオフされる。
【００７９】
以上の表示システム１００の動作により、メニュー設定の際には、画面の大きい外部モニタにメニュー画面を強制的に表示し、視認が容易となるため、操作性が向上できる。
【００８０】
なお、この第２実施形態の表示システム１００では、ケーブルＣｂが外部モニタ端子２２２に接続された場合にはＬＣＤ１０に代えて外部モニタ２２３で優先的に画像を表示するようにしているが、ＬＣＤ１０および外部モニタ２２３双方で表示を行うようにしても良い。
【００８１】
＜変形例＞
本発明については、上記実施形態のように静止画が主に撮影対象となるデジタルカメラに限らず、動画を撮影できるデジタルカメラなどにも適用できる。
【００８２】
【発明の効果】
以上説明したように、請求項１および請求項４の発明によれば、デジタルカメラの機能に係る複数の項目が表示されるメニュー画面において、操作入力によって各項目に対する設定を行う設定手段が能動化された場合に、第１表示手段より表示画面が大きくデジタルカメラの外観面に設けられている第２表示手段を強制的に能動化し、メニュー画面を表示する。その結果、デジタルカメラの操作性が向上できる。
【００８３】
特に、請求項２の発明においては、第２表示手段を能動化する場合には、第１表示手段を不能化するため、節電に寄与できる。
【００８４】
また、請求項５ないし請求項６の発明によれば、デジタルカメラの機能に係る複数の項目が表示されるメニュー画面において、操作入力によって各項目に対する設定を行う設定手段が能動化された場合に、外部の表示装置にデータを伝送する伝送手段を強制的に能動化し、外部の表示装置にメニュー画面を表示する。その結果、デジタルカメラの操作性が向上できる。
【００８５】
特に、請求項６の発明においては、伝送手段を能動化する場合には表示手段を不能化するため、節電に寄与できる。
【図面の簡単な説明】
【図１】本発明の第１実施形態に係るデジタルカメラ１Ａの平面図である。
【図２】図１のII−II位置から見た断面図である。
【図３】デジタルカメラ１Ａの背面図である。
【図４】デジタルカメラ１Ａの機能ブロック図である。
【図５】全体制御部２１１Ａ内の内部構成を示すブロック図である。
【図６】メモリカード８の画像記憶を説明する図である。
【図７】ＬＣＤ１０およびＥＶＦ２０における表示状態の遷移の様子を示す図である。
【図８】ＬＣＤ１０およびＥＶＦ２０における表示状態の遷移の様子を説明する図である。
【図９】メニュー画面の例を示す図である。
【図１０】ＥＶＦの自動モードの設定画面を示す図である。
【図１１】本発明の第２実施形態に係る表示システム１００の要部構成を示す図である。
【図１２】デジタルカメラ１Ｂの部分ブロック図である。
【符号の説明】
１Ａ、１Ｂ  デジタルカメラ
１０  ＬＣＤ
２０  ＥＶＦ
３１  ディスプレイ切替スイッチ
３２  確定ボタン
３４  メニューボタン
３５  ４連スイッチ
１００  表示システム
２２２  外部モニタ端子
２２３  外部モニタ
ＭＮ  メニュー
【図１】
0003773242.tif 000002
【図２】
0003773242.tif 000003
【図３】
0003773242.tif 000004
【図４】
0003773242.tif 000005
【図５】
0003773242.tif 000006
【図６】
0003773242.tif 000007
【図７】
0003773242.tif 000008
【図８】
0003773242.tif 000009
【図９】
0003773242.tif 000010
【図１０】
0003773242.tif 000011
【図１１】
0003773242.tif 000012
【図１２】
0003773242.tif 000013